(57)【要約】      （修正有）【課題】  屋外においても感染源を非接触で不活化処理し得、よりコンパクトな不活化処理装置を提供する。【解決手段】  処理部３の入側に連設した前室部２と、前室入側開口２５を囲繞する入口部１と、処理部出側開口３６を囲繞する出口部４と、被処理体を検知する検知センサ８６とを備え、検知センサ８６は入口部１に、当該入口部１内への被処理体の進入を検知し得るように配設してあり、制御部８０は検知センサ８６から、入口部１内への被処理体の進入を検知した検知信号が与えられたタイミングでポンプ８５を作動させて、各ノズル８４，８４，…から処理部３内へ処理液を噴霧させるようになしてある。被処理体は、処理液のミストで充満された処理部３内へ進入する。【選択図】  図２
0003227924.tif 000002
【実用新案登録請求の範囲】
【請求項１】
感染源を不活化処理すべき対象の被処理体が一方向へ通過し得るように構成したトンネル状の処理部と、前記不活化処理のための処理液を前記処理部内に噴霧する噴霧手段とを備え、該噴霧手段から処理部内に噴霧された処理液のミストによって、被処理体が着用した衣服及び／又は被処理体に付着した感染源を不活化する装置において、
前記処理部の入側に連設した筒状の前室部と、該前室部の入側に連設され、前室部の入側開口を囲繞する入口部と、前記処理部の出側に連設され、処理部の出側開口を囲繞する出口部と、被処理体を検知する検知センサとを備え、
前記検知センサは入口部に、当該入口部内への被処理体の進入を検知し得るように配設してあり、
前記噴霧手段は、処理液を貯留するタンクと、タンク内の処理液を圧送するポンプと、前記処理部内に配設した複数のノズルと、ポンプにて圧送された処理液を各ノズルへ給送する給送管と、ポンプの動作を制御する制御部とを具備し、
制御部は前記検知センサから、入口部内への被処理体の進入を検知した検知信号が与えられたタイミングで前記ポンプを作動させるようになしてある
ことを特徴とする不活化処理装置。
【請求項２】
前記入口部は、前室部の入側開口に対向配置した端壁部材と、該端壁部材と前記前室部の一又は他側面との間に介装した側壁部材と、該側壁部材及び前記端壁部材で囲まれる領域を覆い、側壁部材の上縁及び端壁部材の上縁に当接させた天井部材とを具備し、
入口部の前記側壁部材に対向する領域に、当該入口部内へ進入するための入口開口が開設してある
請求項１記載の不活化処理装置。
【請求項３】
前記出口部は、処理部の出側開口に対向配置した端壁部材と、該端壁部材と前記処理部の一又は他側面との間に介装した側壁部材と、該側壁部材及び前記端壁部材で囲まれる領域を覆い、側壁部材の上縁及び端壁部材の上縁に当接させた天井部材とを具備し、
出口部の前記側壁部材に対向する領域に、当該出口部内から退出するための出口開口が開設してある
請求項１又は２記載の不活化処理装置。
【請求項４】
前記入口部及び／又は出口部の天井部材に、入口部及び／又は出口部内へ進入する風を外へ抜くための１又は複数の第１風抜孔が開設してある請求項３記載の不活化処理装置。
【請求項５】
前記第１風抜孔は、出口部の端壁部材側の領域に開設してある請求項４記載の不活化処理装置。
【請求項６】
前記入口部及び／又は出口部の端壁部材及び／又は側壁部材に、入口部及び／又は出口部内へ進入する風を外へ抜くための１又は複数の第２風抜孔が開設してある請求項３、４又は５記載の不活化処理装置。
【請求項７】
前記入口部及び／又は出口部の端壁部材に設けた第２風抜孔は、端壁部材を設けた部分の下端から１／３程度の高さ位置までの領域に配してある請求項３から６のいずれかに記載の不活化処理装置。
【請求項８】
前記処理部と前室部とを仕切る第１仕切部材が、処理部と前室部との境界位置に垂設してある請求項１から７のいずれかに記載の不活化処理装置。
【請求項９】
前記第１仕切部材は柔軟性を有する材料で形成してあり、処理部の入側開口の高さ寸法と略同じ長さ寸法になしてある請求項８記載の不活化処理装置。
【請求項１０】
前記処理部と出口部とを仕切る第２仕切部材が、処理部と出口部との境界位置に垂設してある請求項１から９のいずれかに記載の不活化処理装置。
【請求項１１】
前記第２仕切部材は柔軟性を有する材料で形成してあり、処理部の出側開口の高さ寸法の略１／２以下の長さ寸法になしてある請求項１０記載の不活化処理装置。
【請求項１２】
前記給送管は、その一端が前記ポンプに連結した第１給送管と、長手方向の適宜位置に前記第１給送管の他端が接続された第２給送管とを具備し、
第２給送管は線分状の基部の両側に両腕部を垂設してなり、
両腕部は、処理部の被処理体の進行方向と交わる方向に対向する両隅部に配設してあり、
前記ノズルは基部及び両腕部にそれぞれ取り付けてある
請求項１から１１のいずれかに記載の不活化処理装置。
【請求項１３】
前記制御部は、ポンプを作動させてから１０秒未満の所定時間が経過した後に、前記ポンプを停止させるようになしてある請求項１から１２のいずれかに記載の不活化処理装置。
【請求項１４】
前記処理部の底部に吸水性を有する床部材が架設してある請求項１から１３のいずれかに記載の不活化処理装置。
【考案の詳細な説明】
【技術分野】
【０００１】
本考案は、被服を着用したヒト、及び動物等の被処理体に処理液を噴霧して、被服及び被処理体に付着した細菌及び／又はウイルス等の感染源を不活化する不活化処理装置に関する。
【背景技術】
【０００２】
例えば、２０２０年に世界的に蔓延した新型コロナウイルス（ＣＯＶＩＤ−１９）の主な感染経路は飛沫によるとされており、かかる感染経路を有する感染源にあっては、被服を着用したヒト及び動物等の被処理体に処理液を噴霧して、被服及び被処理体に付着したウイルス及び／又は細菌等の感染源を不活化することが重要である。そのため、後記する特許文献１には、次のような構成が開示されている。
【０００３】
図３は特許文献１に開示された不活化処理装置を示す側断面図であり、図中１５０は、ヒトといった被処理体を収容する部屋である。
【０００４】
図３に示した如く、部屋１５０は四方を壁で囲まれており、天井及び床を備えている。この部屋１５０の内部には正四角柱状の噴霧室１５１が設けてあり、部屋１５０の正面壁と兼用する噴霧室１５１の正面壁には出入り用の扉１５２が開閉可能に取り付けてある。噴霧室１５１の背部は動力室１８０になっており、該動力室１８０には消毒液貯蔵槽１８４及びエアー圧送装置１８５が配設してある。消毒液貯蔵槽１８４には消毒液用パイプ１８２が連結してあり、エアー圧送装置１８５にはエアー圧送用パイプ１８１が連結してある。消毒液用パイプ１８２及びエアー圧送用パイプ１８１は、噴霧室１５１の内壁及び天井壁に取り付けられたノズル１６２，１６２，…にそれぞれ連結されており、エアー圧送用パイプ１８１から導入されたエアーがノズル１６２，１６２，…から噴出されることによって生ずるノズル１６２，１６２，…内部の負圧によって、消毒液用パイプ１８２からノズル１６２，１６２，…内へ消毒液が吸引され、各ノズル１６２，１６２，…から消毒液が噴霧されるようになっている。一方、噴霧室１５１の天井には殺菌灯１７０も設けてあり、また、噴霧室１５１の天井にはヒトの入出を感知するセンサ１８６が設けてある。
【０００５】
このような不活化処理装置は、ヒトが扉１５２を開けて噴霧室１５１内に進入すると、センサ１８６がそれを感知して、殺菌灯１７０を点灯させると共に、エアー圧送装置１８５を駆動させてノズル１６２，１６２，…から消毒液を噴霧させる。これによって、ヒトが着用している被服及び当該ヒトに付着した感染源を不活化することができる。
【先行技術文献】
【特許文献】
【０００６】
【特許文献１】実開平７−４５００５号公報
【考案の概要】
【考案が解決しようとする課題】
【０００７】
しかしながら、このような従来の不活化処理装置にあっては、被処理体であるヒトが扉１５２を開けて噴霧室１５１内に進入し、噴霧処理をした後、被処理体が当該扉１５２を再度開いて噴霧室１５１から退出しなければならず、不活化処理の効率が低い。また、扉１５２の開閉を被処理体が行うため、扉１５２のノブ又は取手等に被処理体の手指が接触してしまい、接触箇所の消毒を毎回行う必要がある、等の問題があった。
【０００８】
そのため、噴霧室１５１をトンネル状になして、連続的に通過させる間に不活化処理を実施するようにした不活化処理装置が提案されているが、かかる不活化処理装置にあっては、被処理体の頭部から足元に亘る全領域に付着した感染源を不活化するために、トンネル部分の長さを比較的長くする必要があり、装置をコンパクトになすことができない。また、トンネル状の噴霧室にあっては風の影響を直接的に受けるため、屋外での使用が困難であった。
【０００９】
本考案は斯かる事情に鑑みてなされたものであって、屋外においても感染源を非接触で不活化処理し得、よりコンパクトな不活化処理装置を提供する。
【課題を解決するための手段】
【００１０】
（１）本考案の不活化処理装置は、感染源を不活化処理すべき対象の被処理体が一方向へ通過し得るように構成したトンネル状の処理部と、前記不活化処理のための処理液を前記処理部内に噴霧する噴霧手段とを備え、該噴霧手段から処理部内に噴霧された処理液のミストによって、被処理体が着用した衣服及び／又は被処理体に付着した感染源を不活化する装置において、前記処理部の入側に連設した筒状の前室部と、該前室部の入側に連設され、前室部の入側開口を囲繞する入口部と、前記処理部の出側に連設され、処理部の出側開口を囲繞する出口部と、被処理体を検知する検知センサとを備え、前記検知センサは入口部に、当該入口部内への被処理体の進入を検知し得るように配設してあり、前記噴霧手段は、処理液を貯留するタンクと、タンク内の処理液を圧送するポンプと、前記処理部内に配設した複数のノズルと、ポンプにて圧送された処理液を各ノズルへ給送する給送管と、ポンプの動作を制御する制御部とを具備し、制御部は前記検知センサから、入口部内への被処理体の進入を検知した検知信号が与えられたタイミングで前記ポンプを作動させるようになしてあることを特徴とする。
【００１１】
本考案に係る不活化処理装置にあっては、ヒト又は動物等、感染源を不活化処理すべき対象である被処理体が一方向へ通過し得るように構成したトンネル状の処理部と、不活化処理のための処理液を処理部内に噴霧する噴霧手段とを備えており、噴霧手段から処理部内に噴霧された処理液のミストによって、被処理体が着用した衣服及び／又は被処理体に付着した感染源を不活化するようになしてある。
【００１２】
前述した処理部の入側には筒状の前室部が連設してあり、この前室部の入側には、前室部の入側開口を囲繞する入口部が連設してある。また、処理部の出側には、処理部の出側開口を囲繞する出口部が連設してある。このように、処理部の入側に連設された筒状の前室部の入側開口を入口部で囲繞し、また、処理部の出側開口を出口部で囲繞してあるため、本不活化処理装置を屋外に設置した場合であっても、処理部の入側開口及び出側開口から処理部内へ外からの風が侵入することを可及的に抑制することができる。また、処理部の長さ寸法を比較的短くしても、同様に、外からの風が処理部内へ侵入することを可及的に抑制することができる。
【００１３】
更に、本不活化処理装置にあっては、被処理体を検知する検知センサが、前記入口部に、入口部内への被処理体の進入を検知し得るように配設してある。また、前述した噴霧手段は、処理液を貯留するタンクと、タンク内の処理液を圧送するポンプと、処理部内に配設した複数のノズルと、ポンプにて圧送された処理液を各ノズルへ給送する給送管と、ポンプの動作を制御する制御部とを具備している。そして、制御部は検知センサから、入口部内への被処理体の進入を検知した検知信号が与えられたタイミングでポンプを作動させて、各ノズルから処理部内へ、処理液を噴霧させる。これによって、被処理体が前室部を通過する間に処理部内は処理液のミストで満たされる。
【００１４】
被処理体は、処理液のミストで満たされた処理部内へ進入するため、処理部の長さ寸法が比較的短いコンパクトな不活化処理装置であっても、非接触で高効率に感染源の不活化処理を実行することができる。
【００１５】
（２）本考案の不活化処理装置は、前記入口部は、前室部の入側開口に対向配置した端壁部材と、該端壁部材と前記前室部の一又は他側面との間に介装した側壁部材と、該側壁部材及び前記端壁部材で囲まれる領域を覆い、側壁部材の上縁及び端壁部材の上縁に当接させた天井部材とを具備し、入口部の前記側壁部材に対向する領域に、当該入口部内へ進入するための入口開口が開設してあることを特徴とする。
【００１６】
本考案に係る不活化処理装置にあっては、入口部は、前室部の入側開口に対向配置した端壁部材と、端壁部材と前室部の一又は他側面との間に介装した側壁部材とによって、平面視がＬ字状の部材が形成されており、これによって、前室部の一又は他側面側から処理部内へ侵入する風、及び処理部の中心軸上であって、入口部側から処理部内へ侵入する風を防止することができる。
【００１７】
更に、入口部は、側壁部材及び前記端壁部材で囲まれる領域を覆い、側壁部材の上縁及び端壁部材の上縁に当接させた天井部材を具備しており、天井部材によって入口部の上方から処理部内へ侵入する風雨を防止することができる。
【００１８】
一方、入口部には、当該入口部の側壁部材に対向する領域に、内部へ進入するための入口開口が開設してあり、被処理体は入口開口から入口部内へ進入する。
【００１９】
（３）本考案の不活化処理装置は、前記出口部は、処理部の出側開口に対向配置した端壁部材と、該端壁部材と前記処理部の一又は他側面との間に介装した側壁部材と、該側壁部材及び前記端壁部材で囲まれる領域を覆い、側壁部材の上縁及び端壁部材の上縁に当接させた天井部材とを具備し、出口部の前記側壁部材に対向する領域に、当該出口部内から退出するための出口開口が開設してあることを特徴とする。
【００２０】
本考案に係る不活化処理装置にあっては、出口部は、処理部の出側開口に対向配置した端壁部材と、端壁部材と処理部の一又は他側面との間に介装した側壁部材とによって、前述した入口部と対称的に、平面視がＬ字状の部材が形成されており、これによって、処理部の一又は他側面側から処理部内へ侵入する風、及び処理部の中心軸上であって、出口部側から処理部内へ侵入する風を防止することができる。
【００２１】
更に、出口部には、側壁部材及び前記端壁部材で囲まれる領域を覆い、側壁部材の上縁及び端壁部材の上縁に当接させた天井部材を具備しており、天井部材によって出口部の上方から処理部内へ侵入する風雨を防止することができる。
【００２２】
一方、出入口部には、当該出口部の側壁部材に対向する領域に、外部へ退出するための出口開口が開設してあり、被処理体は出口開口から外へ退出する。
【００２３】
（４）本考案の不活化処理装置は、前記入口部及び／又は出口部の天井部材に、入口部及び／又は出口部内へ進入する風を外へ抜くための１又は複数の第１風抜孔が開設してあることを特徴とする。
【００２４】
本考案に係る不活化処理装置にあっては、入口部及び／又は出口部の天井部材に１又は複数の第１風抜孔が開設してあり、前述した入口開口から入口部内へ、及び／又は出口開口から出口部内へ進入する風は、第１風抜孔から外へ抜けるようになっている。これによって、入口開口から入口部内へ、及び／又は出口開口から出口部内へ進入した風が処理部内へ侵入することを可及的に抑制することができる。
【００２５】
（５）本考案の不活化処理装置は、前記第１風抜孔は、出口部の端壁部材側の領域に開設してあることを特徴とする。
【００２６】
本考案に係る不活化処理装置にあっては、出口部の天井部材の第１風抜孔は、出口部の端壁部材側の領域に開設してあるため、前述したように出側開口から出口部内に進入した風を第１風抜孔から外へ逃がすことができる一方、処理部の出口部側開口は、出口部の天井部材によって庇状に覆われているため、出口部の上方から処理部内へ風雨が侵入することが可及的に抑制される。
【００２７】
（６）本考案の不活化処理装置は、前記入口部及び／又は出口部の端壁部材及び／又は側壁部材に、入口部及び／又は出口部内へ進入する風を外へ抜くための１又は複数の第２風抜孔が開設してあることを特徴とする。
【００２８】
本考案に係る不活化処理装置にあっては、入口部及び／又は出口部の端壁部材及び／又は側壁部材に、１又は複数の第２風抜孔が開設してあり、この第２風抜孔によっても、入口開口から入口部内へ、及び／又は出口開口から出口部内へ進入する風を外へ抜いて逃がすことができる。従って、処理部に対する風の影響をより低減することができる。
【００２９】
（７）本考案の不活化処理装置は、前記入口部及び／又は出口部の端壁部材に設けた第２風抜孔は、端壁部材を設けた部分の下端から１／３程度の高さ位置までの領域に配してあることを特徴とする。
【００３０】
本考案に係る不活化処理装置にあっては、入口部及び／又は出口部の端壁部材に設けた第２風抜孔は、端壁部材を設けた部分の下端から１／３程度の高さ位置までの領域に配してある。第２風抜孔が、入口部及び／又は出口部の端壁部材を設けた部分の下端から１／３程度の高さ位置以上まで達した場合、第２風抜孔から処理部内へ風が侵入してしまう虞がある一方、この高さ位置までであれば、所要の風抜き効果を得つつ、処理部内への風の侵入を可及的に抑制することができる。
【００３１】
（８）本考案の不活化処理装置は、前記処理部と前室部とを仕切る第１仕切部材が、処理部と前室部との境界位置に垂設してあることを特徴とする。
【００３２】
本考案に係る不活化処理装置にあっては、処理部と前室部とを仕切る第１仕切部材が、処理部と前室部との境界位置に垂設してあり、これによって、前室部内へ進入した風が処理部内へ侵入することを抑制することができる。
【００３３】
（９）本考案の不活化処理装置は、前記第１仕切部材は柔軟性を有する材料で形成してあり、処理部の入側開口の高さ寸法と略同じ長さ寸法になしてあることを特徴とする。
【００３４】
本考案に係る不活化処理装置にあっては、第１仕切部材は柔軟性を有する材料で形成してあるため、被処理体は第１仕切部材を撓めてそこを容易に通過することができる。また、第１仕切部材は処理部の入側開口の高さ寸法と略同じ長さ寸法になしてあるため、前室部内へ進入した風が処理部内へ侵入することを略防止することができる。
【００３５】
（１０）本考案の不活化処理装置は、前記処理部と出口部とを仕切る第２仕切部材が、処理部と出口部との境界位置に垂設してあることを特徴とする。
【００３６】
本考案に係る不活化処理装置にあっては、処理部と出口部とを仕切る第２仕切部材が、処理部と出口部との境界位置に垂設してあり、これによって、出口部内へ進入した風が処理部内へ侵入することを抑制することができる。
【００３７】
（１１）本考案の不活化処理装置は、前記第２仕切部材は柔軟性を有する材料で形成してあり、処理部の出側開口の高さ寸法の略１／２以下の長さ寸法になしてあることを特徴とする。
【００３８】
本考案に係る不活化処理装置にあっては、第２仕切部材は柔軟性を有する材料で形成してあるため、被処理体は第２仕切部材を撓めてそこを容易に通過することができる。また、第２仕切部材は、処理部の出側開口の高さ寸法の略１／２以下の長さ寸法になしてあるため、出口部内へ入った外からの風が処理部内へ進入することを可及的に抑制することができる。
【００３９】
（１２）本考案の不活化処理装置は、前記給送管は、その一端が前記ポンプに連結した第１給送管と、長手方向の適宜位置に前記第１給送管の他端が接続された第２給送管とを具備し、第２給送管は線分状の基部の両側に両腕部を垂設してなり、両腕部は、処理部の被処理体の進行方向と交わる方向に対向する両隅部に配設してあり、前記ノズルは基部及び両腕部にそれぞれ取り付けてあることを特徴とする。
【００４０】
本考案に係る不活化処理装置にあっては、給送管は、その一端が前記ポンプに連結した第１給送管と、長手方向の適宜位置に前記第１給送管の他端が接続された第２給送管とを具備している。この第２給送管は線分状の基部の両側に両腕部を垂設してなり、両腕部は、処理部の被処理体の進行方向と交わる方向に対向する両隅部に配設してあるため、処理部内を通過する被処理体の進行を第２給送管が邪魔しない。
【００４１】
一方、第２給送管の基部及び該基部に垂設した両腕部にそれぞれ設けた複数のノズルから立体的に処理部内へ処理液を噴霧するため、処理部内は処理液のミストによって短時間で満たされる。また、処理液が噴霧されているときに処理部内へ進入した被処理体にあっては、第２給送管の基部に設けた各ノズルからのミストによって、被処理体の頭部、肩部及び胴体部等が処理され、第２給送管の両腕部に設けた各ノズルからのミストによって、被処理体の腰部及び脚部等が処理される。また、被処理体が手指を噴霧中のミストにかざすことによって、当該手指に付着した感染源を集中的に不活化することができる。
【００４２】
（１３）本考案の不活化処理装置は、前記制御部は、ポンプを作動させてから１０秒未満の所定時間が経過した後に、前記ポンプを停止させるようになしてあることを特徴とする。
【００４３】
本考案に係る不活化処理装置にあっては、制御部は、ポンプを作動させてから１０秒未満の所定時間が経過した後に、前述したポンプを停止させるようになしてある。従って、被処理体が処理部内へ入る前に、処理部内が噴霧された処理液のミストによって充満される。そのため、被処理体が処理部に入室したタイミングで処理液のミストが被処理体の全身に瞬時的に付着し、被処理体が着用した被服等及び／又は当該被処理体に付着した感染源を不活化することができ、処理効率が非常に高い。
【００４４】
また、被処理体が処理部内へ入った後、数秒間だけ噴霧が持続される。これによって、被処理体の入室動作によって減少する処理液のミストを補って、処理部内のミストを高濃度に維持することができるのに加え、被処理体が手指を噴霧中のミストにかざすことによって、当該手指に付着した感染源を集中的に不活化することができる。従って、処理能力も非常に高い。
【００４５】
一方、被処理体が処理部内へ入室後、数秒で処理液の噴霧が停止されるため、被処理体が処理液のミストを過剰に吸引することが防止される。
【００４６】
（１４）本考案の不活化処理装置は、前記処理部の底部に吸水性を有する床部材が架設してあることを特徴とする。
【００４７】
本考案に係る不活化処理装置にあっては、前述した処理部の底部に、吸水性を有する床部材が架設してある。これによって処理部は筒状になっており、外からの風が内部へ侵入することをより防止することができる。
【００４８】
一方、吸水性を有する床部材としては、木製の床材、又は、樹脂製及び金属製等の非保水性材料の表面に吸水性シートを展着させた材料を用いることができる。吸水性を有する床部材によって、処理部内に噴霧された処理液が保持されるため、被処理体が履いた靴の裏面が床部材に当接した際に、当該裏面に不活化液を付着させて、靴の裏面に付着した感染源を不活化するとともに、液溜まりの発生を防止して、床部材の表面で被処理体が滑動することを防止することができる。
【図面の簡単な説明】
【００４９】
【図１】本考案に係る不活化処理装置の一例を示す外観斜視図である。
【図２】図1に示した不活化処理装置の内部構造を説明する説明図である。
【図３】特許文献１に開示された不活化処理装置を示す側断面図である。
【考案を実施するための形態】
【００５０】
本考案に係る不活化処理装置を図面に基づいて詳述する。
なお、本形態で説明する不活化処理装置は、本考案の趣旨を説明する一例であり、本考案はその趣旨を逸脱しない範囲での変形や改造を含むことはいうまでもない。
【００５１】
図１は本考案に係る不活化処理装置の一例を示す外観斜視図であり、図中、５０は、ヒトと言った被処理体を外界から仕切るための外郭体である。また、図２は図1に示した不活化処理装置の内部構造を説明する説明図である。なお、図２中、図１に示した部分に対応する部分には同じ番号が付してある。
【００５２】
外郭体５０は、被処理体が進入するための入口部１、その内部に処理液を充満させて、ウイルス及び／又は細菌等の感染源を不活化処理するための処理部３、入口部１と処理部３との間に介装された前室部２、及び、被処理体が退出するための出口部４を具備しており、入口部１内に入った被処理体は前室部２を通って処理部３へ進入し、そこで被処理体が着用した被服及び／又は当該被処理体に付着した感染源が不活化処理された後、出口部４から外へ退出するようになっている。
【００５３】
前述した前室部２及び処理部３は互いに連通するトンネル状に構成してあり、前室部２の入側に入口部１が連設してある。この入口部１も側壁部材１１、該側壁部材１１に連設してなる端壁部材１２、及び天井部材１４によってトンネル状に構成してなるが、側壁部材１１と端壁部材１２との間を前室入側開口２５を囲繞するように屈曲させることによって、入口開口１５が前室入側開口２５と交差する姿勢になしてある。なお、側壁部材１１及び端壁部材１２は各々別体であってもよいし、一体的に構成してもよい。
【００５４】
これによって、入口開口１５から入口部１内へ入った風はその殆どが側壁部材１１に当たるため、当該風が前室入側開口２５から前室部２内へ直接進入し得ないようになっている。また、前室部２の前室入側開口２５が入口部１の側壁部材１１及び端壁部材１２によって囲繞されているため、前室部２を貫通する中心軸と平行をなす方向の風が前室入側開口２５から前室部２内へ侵入することを防止することができる。更に、入口部１には天井部材１４が設けてあるため、入口部１の上方から前室部２内へ風雨が侵入することも防止し得る。
【００５５】
ここで、入口部１の入口開口１５と前室部２の前室入側開口２５とがなす角αは、前室部２内への風侵入防止のための所要の効果を得るべく、略９０°より大きい適宜角度であればよいが、前記なす角αが９０°である場合、前室部２の側壁部材２１と入口部１の入口開口１５とを面一になすことによって、外郭体５０の占有面積を可及的に狭くすることができるため好適である。なお、前記なす角αが９０°より５°程度小さい場合であっても、前室部２内への外気侵入防止効果は大きく低下しないため、略９０°に含まれる。
【００５６】
次に、前室部２及び該前室部２に連通する処理部３は、一対の側壁部材２１（２１），３１（３１）及び両側壁部材２１（２１），３１（３１）の上縁に架設した天井部材２４，３４を具備しており、対向する側壁部材２１（２１），３１（３１）の下縁近傍に床部材２７，３７を架設して筒状に構成してある。前室部２及び処理部３を構成する一方の側壁部材（２１），（３１）は前述した入口部１の側壁部材１１と連続的に構成してあり、また、前室部２及び処理部３を構成する天井部材２４，３４は、入口部１の天井部材１４と連続的に構成してある。
【００５７】
なお、前室部２及び処理部３の天井部材２４，３４と入口部１の天井部材１４との間に段差を形成してもよい。この場合、前者の高さ寸法を後者の高さ寸法より高くする。これによって、伸長が高い被処理体であっても高さ方向に余裕を持って前室部２及び処理部３へ進入することができる。
【００５８】
また、前室部２と処理部３との境界位置である前室部出側開口には、暖簾状の第１仕切部材６（図２参照）が垂下してあり、該第１仕切部材６によって処理部３内の処理液が前室部２へ侵入することを可及的に低減してある。第１仕切部材６は、前室部２内の高さ寸法と略同じ長さ寸法又はそれより少し短い長さ寸法の柔軟な樹脂製のシート材を用いてなり、１又は複数枚の帯状のシート材を、前室部２の略全幅に亘って配設してある。なお、シート材が１枚である場合、例えば当該シート材の略幅方向の略中央位置で、シート材の下縁に至る切れ目を入れておくとよい。また、複数枚のシート材を配設する場合、より少ない枚数にすることによって、１枚当たりのシート材の質量を大きくすることができ、それによって風の影響を可及的に小さくすることができるため好適である。なお、複数枚のシート材を配設する場合にあっては、相隣るシート材が互いに擦れ合うように取り付けるか、又は相隣るシート材の縁部が互いに重なるように取り付けるとよい。
【００５９】
ところで、前述した床部材２７，３７は木製、樹脂製、金属製等種々適用することができるが、木製にした場合、後述する不活化液を吸収するため、被処理体が履いた靴の裏面が処理部３の床部材３７に当接した際に、当該裏面に不活化液を付着させて、靴の裏面に付着した感染源を不活化するとともに、液溜まりの発生を防止して、床部材３７の表面で被処理体が滑動することを防止することができる。なお、樹脂製又は金属製等、吸水性を有さない材料で形成した床部材２７，３７にあっては、表面に吸水性シート等を敷設しておくことによって、前同様の作用効果を奏することができる。
【００６０】
一方、処理部３と出口部４との境界位置である処理部出側開口３６の位置には、第１仕切部材６より短寸の第２仕切部材７（図２参照）が垂下してある。第２仕切部材７の長さ寸法は、処理部出側開口３６の高さ寸法の１／２未満の適宜寸法になしてある。第２仕切部材７の長さ寸法が、処理部出側開口３６の高さ寸法の１／２以上の寸法である場合、処理部出側開口３６の第２仕切部材７にて閉塞されていない領域の面積が、出口部４の出口開口４５の面積に対して過剰に狭いため、出口部４内へ入った外からの風による圧が高く、処理部３内へ風が進入し易い。これに対して、第２仕切部材７の長さ寸法が、処理部出側開口３６の高さ寸法の１／２未満の適宜寸法である場合、出口部４内へ入った外からの風による圧が比較的低いため、当該風が処理部３内へ進入することが可及的に抑制される。
【００６１】
なお、出口部４から処理部３内へ風が進入すると、前述した第１仕切部材６を入口部１側へ押し広げて、後述する如く処理部３内に噴霧された処理液のミストを入口部１内へ漏出させる虞がある。この場合、入口部１内へ漏出された処理液のミストに、後述する如く入口部１に配設された検知センサ８６が誤反応することがある。
【００６２】
これに対して、第２仕切部材７の長さ寸法が、処理部出側開口３６の高さ寸法の１／２未満の適宜寸法である場合、出口部４から処理部３内へ進入する外気の勢力がさほど強くならないため、第１仕切部材６を入口部１側へ押し広げることができず、処理部３からの処理液のミストの漏出を防止することができる。
【００６３】
なお、本形態では第１仕切部材６及び第２仕切部材７を暖簾状の部材で形成した場合について説明したが、本考案はこれに限らず、扉部材というように、第１仕切部材６及び第２仕切部材７は処理部３内に出入りできるような構成であればよい。
【００６４】
かかる処理部３の出側には、当該処理部３で感染源を不活化処理された被処理体が退出するための出口部４が連設してある。出口部４は前述した入口部１と同様、側壁部材４１、該側壁部材４１に連設した端壁部材４２、及び天井部材４４によってトンネル状に構成してなり、側壁部材４１と端壁部材４２との間を、処理部出側開口３６を囲繞するように屈曲させることによって、出口部４の出口開口４５が処理部出側開口３６と交差する姿勢になしてある。
【００６５】
これによって、出口開口４５から出口部４内へ入った風はその殆どが出口開口４５に対向する側壁部材４１に当たるため、当該風が処理部出側開口３６から処理部３内へ直接進入し得ないようになっている。また、処理部出側開口３６が出口部４の側壁部材４１及び端壁部材４２によって囲繞されているため、処理部３を貫通する中心軸と平行をなす方向の風が処理部出側開口３６から処理部３内へ侵入することを抑制することができる。
【００６６】
ここで、出口部４の出口開口４５と処理部出側開口３６とがなす角βは、処理部３内への風侵入防止のための所要の効果を得るべく、略９０°より大きい適宜角度であればよいが、前記なす角βが９０°である場合、処理部３の側壁部材３１と出口部４の出口開口４５とを面一になすことによって、外郭体５０の占有面積を可及的に狭くすることができるため好適である。なお、前記なす角βが９０°より５°程度小さい場合であっても、処理部３内への風侵入防止効果は大きく低下しないため、略９０°に含まれる。
【００６７】
なお、図１及び図２に示した外郭体５０にあってはその同じ側面に、入口部１の入口開口１５と、出口部４の出口開口４５とが配してあるが、本考案はこれに限らず、入口開口１５と出口開口４５とを外郭体５０の互いに異なる側面に配してもよいことは言うまでもない。
【００６８】
ところで、出口部４の天井部材４４であって端壁部材４２側の位置には、１又は複数（図１にあっては１つ）の第１風抜孔４６が開設しあり、該第１風抜孔４６によって、出口開口４５から出口部４内に進入した風を外郭体５０外へ逃がすようになっている。一方、出口部４の前記処理部出側開口３６側の領域は天井部材４４によって覆われているため、出口部４の上方から処理部３内へ風雨が侵入することが可及的に抑制される。
【００６９】
ここで、第１風抜孔４６の面積は、出口部４の天井領域の面積の１／４以上１／３以下になすとよい。第１風抜孔４６の面積が出口部４の天井領域の面積の１／４未満である場合、所要の風抜き効果を得ることができず、また、第１風抜孔４６の面積が出口部４の天井領域の面積の１／３を超えると、出口部４の上方から処理部３内へ風雨が侵入してしまう。これに対して、第１風抜孔４６の面積が出口部４の天井領域の面積の１／４以上１／３以下である場合、所要の風抜き効果を得るとともに、出口部４の上方から処理部３内への風雨の侵入を可及的に防止することができる。
【００７０】
なお、本形態では出口部４の天井部材４４に第１風抜孔４６を設けた場合について説明したが、本考案はこれに限らず、入口部１の天井部材１４に第１風抜孔４６と同様の第１風抜孔を形成してもよいことは言うまでもない。なお、第１風抜孔４６及び第１風抜孔に開閉扉を配設するとよい。これによって、設置場所等によって変化する風の方向に応じて、出口部４及び／又は入口部１内へ進入する風を外へ逃がすことができ、処理部３に対する風の影響をより低減することができる。また、開閉扉を設けた場合にあっては天候の変化等に応じて開閉扉を開閉させることによって、処理部３に対する風の影響を更に低減することができる。
【００７１】
ところで、前室部２及び処理部３の天井部材２４，３４と、出口部４の天井部材４４との間に段差を形成してもよい。この場合、前者の高さ寸法を後者の高さ寸法より高くする。前同様、伸長が高い被処理体であっても前室部２及び処理部３内に高さ方向に余裕を持って在室することができるからである。
【００７２】
一方、出口部４の前記処理部出側開口３６に対向する端壁部材４２は、出口部４の当該端壁部材４２を設けた部分の高さ寸法と同じ長さ寸法の部材を垂設してもよいが、図１に示した如く、出口部４の該当部分の高さ寸法の２／３程度の長さ寸法の部材を垂設して、第２風抜孔４７を形成しておくこともできる。これによって、出口開口４５から出口部４内へ進入した風を第２風抜孔４７からも外へ逃がすことができ、処理部３に対する風の影響をより低減することができる。なお、第２風抜孔４７は複数設けてもよいことは言うまでもない。
【００７３】
ここで、端壁部材４２に第２風抜孔４７を設ける場合、第２風抜孔４７が、出口部４の端壁部材４２を設けた部分の下端から１／３程度の高さ位置以上まで達した場合、第２風抜孔４７から処理部３内へ風が侵入してしまう虞がある一方、この高さ位置までであれば、所要の風抜き効果を得つつ、処理部３内への風の侵入を可及的に抑制することができる。
【００７４】
なお、本形態では出口部４の端壁部材４２に第２風抜孔４７を設けた場合について示したが、本考案はこれに限らず、入口部１の端壁部材１２に、第２風抜孔４７と同様の第２風抜孔を形成しても良く、また、入口部１の側壁部材１１及び／又は出口部４の側壁部材４１に1又は複数の第２風抜孔を設けることもできる。いずれの場合であっても、第２風抜孔４７及び各第２風抜孔に、開閉扉を配設するとよい。これによって、設置場所等によって変化する風の方向に応じて、出口部４及び／又は入口部１内へ進入する風を外へ逃がすことができ、処理部３に対する風の影響をより低減することができる。また、開閉扉を設けた場合にあっては天候の変化等に応じて開閉扉を開閉させることによって、処理部３に対する風の影響を更に低減することができる。なお、入口部１の側壁部材１１及び出口部４の側壁部材４１に第２風抜孔を設ける場合、当該側壁部材１１及び側壁部材４１を設けた部分の上端から１／２程度までの高さ領域に設けることによって、処理部３に対する風の影響を抑制しつつ、進入した風を外へ効率的に逃がすことができるため好適である。
【００７５】
ところで、前述した各天井部材１４，２４，３４，４４はアーチ状又は平坦状等、種々の形状であってよいが、アーチ状にした場合、天井部材１４，２４，３４，４４上に雨水が溜まるのを回避することができる一方、より少ない材料でより高い高さ寸法を実現することができるため好適である。
【００７６】
一方、前述した各側壁部材１１，２１，３１，４１、端壁部材１２，４２並びに第１及び第２仕切部材６，７は、透明材又は半透明材にて構成すると、開放感を向上させることができるため好適である。
【００７７】
このような外郭体５０を備える不活化処理装置にあっては、入口部１内の適宜位置に被処理体を検知する検知センサ８６が配設してあり、入口開口１５を通過して入口部１内へ進入する被処理体を検知センサ８６が検知すると、処理液の噴霧開始停止を制御する制御部８０に検知センサ８６から検知信号が与えられるようになっている。制御部８０にはタイマが内蔵されており、制御部８０は検知センサ８６から検知信号が与えられると、タイマを作動させるとともに処理液の噴霧を開始させ、タイマによって予め設定された時間が計測されると、処理液の噴霧を停止させる。
【００７８】
ところで、前述した検知センサ８６は、入口開口１５に対向する部分を開口させた筐体８７内にセンサ本体（図示せず）を設けて構成してある。これによって、仮に噴霧された処理液のミストが前述した処理部３から入口部１内へ漏出した場合であっても、それがセンサ本体内へ侵入することを筐体８７が遮るため、検知センサ８６の誤検出が防止される。
【００７９】
本不活化処理装置は、前述した処理液を貯留するタンク８８、及び該タンク８８内の処理液を圧送するポンプ８５も具備しており、それらは外郭体５０の内外の適宜位置、例えば前室部２内に配置してある。ポンプ８５には処理液を給送するための第１給送管８１の一端が連結してあり、タンク８８内の処理液はポンプ８５によって第１給送管８１内へ圧送されるようになっている。第１給送管８１の長手方向の適宜位置には電磁弁８３が介装してあり、該電磁弁８３の開閉動作、及び前記ポンプ８５の駆動動作は前記制御部８０によって制御される。
【００８０】
ここで、タンク８８内に貯留させる処理液としては、ウイルス及び細菌を不活化させるとともに、安全性といった所要の要件を満たす薬剤であればよいが、例えば弱酸性次亜塩素酸水（Ｃｌｅａｎ  Ｗａｔｅｒ  ＣＥＬＡ（登録商標）；三和サービス株式会社製）を用いることができる。また、消毒用のアルコール剤を用いることもできる。
【００８１】
一方、前述した処理部３内には倒立コ字状の第２給送管８２が配設してある。第２給送管８２のコ字状底部に当たる基部８２ａは、処理部３の天井部材３４に倣う円弧状になして、当該天井部材３４又はその近傍位置に、処理部３の略対角線上になるように固定してあり、基部８２ａの長手方向の適宜位置に前記第１給送管８１の他端が接続してある。また、基部８２ａの両側からそれぞれ延設された第２給送管８２の腕部８２ｂ，８２ｂは、第１仕切部材６及び第２仕切部材７で仕切られた処理部３の対角線上の両隅部近傍位置において、成人の膝丈より少し低い位置程度まで垂設してある。これによって、被処理体が処理部３内を通過する際に、第２給送管８２の両腕部８２ｂ，８２ｂが被処理体の進行を邪魔しないようになっている。
【００８２】
第２給送管８２の基部８２ａ及び両腕部８２ｂ，８２ｂにはそれぞれ、１又は複数（図２にあってはそれぞれ２個ずつ）のノズル８４，８４，…が互いに適宜の間隔を隔てて取り付けてあり、第１給送管８１から第２給送管８２内へ圧送された処理液は、各ノズル８４，８４，…から処理部３内へ噴霧されるようになっている。なお、これら制御部８０、タンク８８、ポンプ８５、電磁弁８３、第１給送管８１、第２給送管８２、及びノズル８４，８４，…等によって噴霧手段８が構成されている。また、これら第１給送管８１及び第２給送管８２は循環式のものを用いることができる。
【００８３】
次に、かかる不活化処理装置によって、被処理体が着用した被服等及び／又は当該被処理体に付着した感染源を不活化する動作について説明する。
【００８４】
被処理体が入口開口１５を通って入口部１内へ進入すると、検知センサ８６が被処理体を検知して、検知信号を噴霧手段８の制御部８０へ出力する。制御部８０は検知センサ８６から検知信号が与えられると、タイマをリセットした後に計時を開始させる一方、電磁弁８３を開にするとともにポンプ８５を作動させて、各ノズル８４，８４，…から処理部３内へ処理液の噴霧を開始させる。一方、被処理体は検知センサ８６にて検知された後、前室部２を通過してから処理部３内へ進入するため、被処理体が処理部３内へ入る前に、処理部３の内部を、噴霧された処理液のミストで充満させることができる。なお、各ノズル８４，８４，…の設置個数、及び単位時間当たりの噴霧容量は、検知センサ８６が被処理体を検知してから、当該被処理体が処理部３内へ入るまでの間に、処理液のミストによって処理部３内を充満させ得るように設定する。
【００８５】
そして、制御部８０は、計時が開始されたタイマによって予め設定された時間が計測されると、電磁弁８３を閉にするとともにポンプ８５を作動停止させて、各ノズル８４，８４，…から処理部３内への処理液の噴霧を停止させる。
【００８６】
ここで、処理液の噴霧開始から噴霧停止までの時間としては、検知センサ８６が被処理体を検知してから、当該被処理体が処理部３内へ入った後、２秒〜９数程度、即ち、全体として１０秒未満の適宜な秒数だけ噴霧を持続し得る時間を設定すればよい。
【００８７】
前述したように被処理体が処理部３内へ入る前に、処理部３内が噴霧された処理液のミストによって充満されているため、被処理体が処理部３に入室したタイミングで処理液のミストが被処理体の全身に瞬時的に付着し、被処理体が着用した被服等及び／又は当該被処理体に付着した感染源を不活化することができる。従って、処理効率が非常に高い。更に、被処理体が処理部３内へ入った後、数秒間だけ噴霧が持続されるため、被処理体の入室動作によって減少する処理液のミストを補って、処理部３内のミストを高濃度に維持することができるのに加え、被処理体が例えば手指を噴霧中のミストにかざすことによって、当該手指に付着した感染源を集中的に不活化することができる。従って、処理能力も非常に高い。
【００８８】
一方、被処理体が処理部３内へ入室後、数秒で処理液の噴霧が停止されるため、被処理体が処理液のミストを過剰に吸引することが防止される。
【００８９】
ところで、被処理体に対する処理を開始する前に、例えば作業員の手指等を検知センサ８６にかざして、処理液の噴霧開始及び噴霧停止を数回程度繰り返しておくことによって、処理部３の床部材３７に処理液を付着させておく。これによって、被処理体が履いた靴の裏面に付着する感染源も不活化することができる。なお、床部材３７，２７の表面に処理液を直接塗布しておいてもよい。
【００９０】
このような不活化処理装置にあっては、入口部１及び出口部４を前述した如く構成し、トンネル状の処理部３の入側及び出側を第１仕切部材６及び第２仕切部材７で仕切ってあるため、屋外においても風雨の影響を可及的に抑制し得る一方、開放的な環境下で、被処理体が着用した被服等及び／又は当該被処理体に付着した感染源を不活化処理することができる。また、処理部３の入側に前室部２を設けて、被処理体が処理部３内へ入る前に、処理部３内を処理液のミストで充満させておくことができるため、処理部の長さ寸法が比較的短いコンパクトな不活化処理装置であっても、被処理体が着用した被服等及び／又は当該被処理体に付着した感染源を非接触で高効率に不活化処理することができる。
【符号の説明】
【００９１】
１    入口部
２    前室部
３    処理部
４    出口部
６    第１仕切部材
７    第２仕切部材
１５    入口開口
１１    側壁部材
１２    端壁部材
１４    天井部材
４１    側壁部材
４２    端壁部材
４４    天井部材
４５    出口開口
４６    第１風抜孔
４７    第２風抜孔
８０    制御部
８１    第１給送管
８２    第２給送管
８４    ノズル
８５    ポンプ
８６    検知センサ
【図１】
0003227924.tif 000003
【図２】
0003227924.tif 000004
【図３】
0003227924.tif 000005